(57)【要約】【課題】  電柱などの高所に作られた鳥の巣を砕くことなく撤去することができるようにした鳥の巣の撤去装置を提供する。【解決手段】  この鳥の巣の撤去装置は、同一方向に並列された複数の櫛１ａを有するフォーク１を備えている。櫛１ａは、鳥の巣を掬うことができる長さ、かつ、間隔をもって並列されている。この鳥の巣の撤去装置によれば、フォーク１の櫛１ａが電柱などの高所に作られた鳥の巣の下側を支える状態となって鳥の巣を撤去することができる。すなわち、鳥の巣は、フォーク１の櫛１ａが鳥の巣の下側に挿し込まれ、続いて引き寄せられることによって撤去される。【選択図】  図１
2006246705.tif 000002
【特許請求の範囲】
【請求項１】
同一方向に並列された複数の櫛を有するフォークを備えた鳥の巣の撤去装置であって、前記櫛が鳥の巣を掬うことのできる長さ、かつ、間隔をもって並列されていることを特徴とする鳥の巣の撤去装置。
【請求項２】
前記フォークは、３本以上の櫛を有し、中間の櫛が着脱自在に取り付けられていることを特徴とする請求項１に記載の鳥の巣の撤去装置。
【請求項３】
前記櫛は、先端部にキャップが装着されていることを特徴とする請求項１または２に記載の鳥の巣の撤去装置。
【請求項４】
前記櫛は、絶縁性の材料で成形され、または、金属材料によって成形され、かつ、該金属材料が絶縁性のカバーで被覆されていることを特徴とする請求項１から３のいずれか一つに記載の鳥の巣の撤去装置。
【請求項５】
前記フォークは、鳥の巣を下と上とから挟むように下側の複数の櫛と上側の複数の櫛とを備えていることを特徴とする請求項１から４のいずれか一つに記載の鳥の巣の撤去装置。
【請求項６】
前記フォークは、前記下側の複数の櫛と上側の複数の櫛を開閉させるレバーと、該レバーを操作する遠隔操作手段が備えられていることを特徴とする請求項５に記載の鳥の巣の撤去装置。
【請求項７】
前記フォークの基端部に長柄が取り付けられていることを特徴とする請求項１から６のいずれか一つに記載の鳥の巣の撤去装置。
【発明の詳細な説明】
【技術分野】
【０００１】
本発明は、電柱などの高所に作られた鳥の巣を撤去するために使用する鳥の巣の撤去装置に関し、詳しくは、複数の櫛を備えているフォークによって鳥の巣を撤去するようにした鳥の巣の撤去装置に関する。
【背景技術】
【０００２】
近年、カラスなどの鳥が電柱などの高所に巣を作ることがある。鳥の巣は、枯れ枝だけでなく、針金製のハンガーなどのワイヤーによっても作られる。このワイヤーが電線に接触すると短絡し、危険であるだけでなく、停電させることもある。そこで、鉄塔などに作られた鳥の巣を除去するための営巣材の収容具が特許文献１に開示されている。
【０００３】
この営巣材の収容具は、Ｖ字形に配置された一対のバーの各基端部が絶縁材からなる操作棒の先端に支持され、両バー間に網が張られていることを特徴としている。この営巣材の収容具を使用して巣を除去するには、二人の作業員が鉄塔に登る。そして、一人の作業員が営巣材の収容具の網を巣の下側に差し出し、もう一人の作業員が棒などによって巣を突っつくことによって突き落とす。この巣が営巣材の収容具の網上に受け止められ、巣が碍子や電線などに引っかかることなく除去される。
【０００４】
【特許文献１】特開平１１−４６４８号公報
【発明の開示】
【発明が解決しようとする課題】
【０００５】
特許文献１に開示された営巣材の収容具は、棒などによって突き落とされた鳥の巣を網上に受け止めるものである。したがって、鳥の巣は、棒によって砕かれるため、効率的に撤去することができない。
【０００６】
そこで、本発明は、電柱などの高所に作られた鳥の巣を砕くことなく撤去することができるようにした鳥の巣の撤去装置を提供することを課題とする。
【課題を解決するための手段】
【０００７】
本発明に係る鳥の巣の撤去装置は、同一方向に並列された複数の櫛を有するフォークを備えた鳥の巣の撤去装置であって、前記櫛が鳥の巣を掬うことのできる長さ、かつ、間隔をもって並列されていることを特徴としている。
【０００８】
この鳥の巣の撤去装置によれば、フォークの櫛が電柱などの高所に作られた鳥の巣の下側に挿し込まれ、続いて引き寄せられると、鳥の巣は掬われる状態となって撤去される。
【０００９】
また、前記本発明に係る鳥の巣の撤去装置において、前記フォークは、３本以上の櫛を有し、中間の櫛が着脱自在に取り付けられていることが好ましい。
【００１０】
この鳥の巣の撤去装置によれば、鳥の巣がしっかりと作られている場合は、中間の櫛を取り外し、フォークを２本の櫛とする。櫛が３本以上よりも２本のほうが鳥の巣の下側に挿し込みやい上に、２本の櫛でも鳥の巣を支承することができる。逆に、鳥の巣がしっかりと作られていない場合は、中間の櫛を取り付け、フォークを３本以上の櫛とする。この場合に、櫛が２本であると、櫛の間から巣の枝や針金などが落下する虞があるが、櫛を３本以上とすることにより、中間の櫛が枝やワイヤーなどを支承し、鳥の巣を形崩れすることなく、撤去することができる。
【００１１】
また、前記本発明に係る鳥の巣の撤去装置において、前記櫛は、先端部にキャップが装着されていることが好ましい。
【００１２】
この鳥の巣の撤去装置によれば、櫛の先端部にキャップが装着されていることにより、櫛の先が尖鋭であっても、装着されたキャップによって、櫛の先端部が人体などに突き刺さらないように安全性を確保することができる。
【００１３】
また、前記本発明に係る鳥の巣の撤去装置において、前記櫛は、絶縁性の材料で成形され、または、金属材料によって成形され、かつ、該金属材料が絶縁性のカバーで被覆されていることが好ましい。
【００１４】
この鳥の巣の撤去装置によれば、櫛が絶縁性の材料で形成され、または、金属材料によって形成されていても絶縁性のカバーによって被覆されていることにより、櫛が電線などに接触しても短絡しないようにすることができる。
【００１５】
また、前記本発明に係る鳥の巣の撤去装置において、前記フォークは、鳥の巣を下と上とから挟むように下側の複数の櫛と上側の複数の櫛とを備えていてもよい。
【００１６】
この鳥の巣の撤去装置によれば、鳥の巣が下側の櫛と上側の櫛に挟まれるため、鳥の巣がしっかりと作られていない場合であっても、鳥の巣は、上下の櫛に挟まれ、壊されることなく撤去される。
【００１７】
また、前記本発明に係る鳥の巣の撤去装置において、前記フォークは、前記下側の複数の櫛と上側の複数の櫛を開閉させるレバーと、該レバーを操作する遠隔操作手段が備えられていることが好ましい。
【００１８】
この鳥の巣の撤去装置によれば、定常状態において下側の複数の櫛と上側の複数の櫛とが拡開しており、レバーを引くことによって下側の櫛と上側の櫛とが近接する。そして、レバーが遠隔操作手段によって操作されることにより、特に、フォークが長柄の先端に取り付けられている場合であっても、下側の櫛と上側の櫛とを開閉させることができる。
【００１９】
また、前記本発明に係る鳥の巣の撤去装置において、前記フォークの基端部に長柄が取り付けられていてもよい。
【００２０】
この鳥の巣の撤去装置によれば、フォークの基端部に長柄が取り付けられることにより、鳥の巣から離れて鳥の巣を撤去することができるため、フォークの柄が電線に接触するなどして、アークが発生しても、作業者が危険に晒されないようにすることができる。なお、長柄に取り付けられるフォークは、櫛が開閉するものであるかどうかを問わないが、櫛が開閉するものである場合は、前記のようにレバーと遠隔操作手段が備えられていることが好ましい。
【発明の効果】
【００２１】
本発明によれば、鳥の巣の撤去装置が、複数の櫛を有するフォークを備え、この櫛が鳥の巣を掬うことができる長さ、かつ、間隔をもって同一方向に並列されることにより、電柱などの高所に作られた鳥の巣を砕くことなく容易に撤去することができる。したがって、鳥の巣が原因で停電などのトラブルが発生しないようにすることができる。しかも、この鳥の巣の撤去装置は、簡単な構成であり、低廉に製造することができることから、電気料金をアップさせることもない。
【発明を実施するための最良の形態】
【００２２】
本発明に係る鳥の巣の撤去装置の第１の実施形態について図１を参照しながら説明する。この鳥の巣の撤去装置は、フォーク１とグリップ２とを備えている。フォーク１は、複数の櫛１ａを同一方向に並列したもので、鳥の巣を掬うことができる長さ、かつ、間隔をもって並列されている。この櫛１ａは、４本以上であってもよいが、ここでは、図示したように３本の場合について説明する。
【００２３】
各櫛１ａは、Ψ字形の基部１ｂの先端部に取り付けられている。ただし、少なくとも中間の櫛１ａは、基部１ｂに着脱自在とされ、鳥の巣の状態に応じて、３本の櫛１ａのフォーク１と２本の櫛１ａのフォーク１とが使い分けられる。
【００２４】
すなわち、鳥の巣がしっかりと作られているときは、櫛１ａが２本のフォーク１を使用する。しっかりと作られた鳥の巣は、２本の櫛１ａの間から枝やワイヤーなどが脱落することがない。しかも、３本の櫛１ａよりも２本の櫛１ａのほうが鳥の巣の下側にスムーズに挿し込むことができ、そして引き寄せることができる。
【００２５】
逆に、鳥の巣がしっかりと作られていないときは、櫛１ａが３本のフォーク１を使用する。中間の櫛１ａが鳥の巣を支承することにより、型崩れしないようにして引き寄せることができる。なお、中間の櫛１ａと基部１ｂとは、雄ネジと雌ネジによって着脱することができるようにするのほか、櫛１ａが基部１ｂから容易に外れないようにする機構であれば、特定するものではない。
【００２６】
また、各櫛１ａの先端側は、若干上向に反り返り、鳥の巣を引っ掛けて引き寄せることができるようにされている。そして、櫛１ａの先端部には、ビニルまたはゴムのような絶縁性のキャップ１ｃが装着されている。このキャップ１ｃによって、櫛１ａの先端が尖鋭であっても、人の体などに突き刺さらないように安全性が確保されている。
【００２７】
また、櫛１ａがステンレスのような金属で形成されているときは、絶縁性のカバー１ｄによって被覆され、櫛１ａが電線に接触しても短絡しないようにされている。したがって、櫛１ａがＦＲＰやＡＢＳのような樹脂で形成されているときは、絶縁性のカバー１ｄを被覆する必要はない。
【００２８】
そして、グリップ２は、基部１ｂの基端部に固定されたカップリング部材４に着脱自在に取り付けられており、図示したように握りやすくするため、輪のような形状としてもよいし、単なる棒状であってもよい。
【００２９】
なお、このような鳥の巣の撤去装置は、必要に応じて、ワイヤーなどを切断する切断手段、網や袋のような収集手段、埃を取るためのブラシのような掃除用具（いずれも図示せず）と組み合わせて使用される。
【００３０】
すなわち、１人または２人の作業者が高所作業車のバケットに乗り、鳥の巣に近づく。そして、鳥の巣を作っているワイヤーが電柱の腕金に形成された孔に通されているような場合は、まず、このワイヤーを切断手段によって切断する。そして、収集手段を鳥の巣の下側に構え、鳥の巣の撤去装置のフォーク１を鳥の巣の下側に挿し込む。収集手段を構える作業者とフォーク１を挿し込む作業者は、同人であっても別人であってもよい。
【００３１】
前記のように、鳥の巣がしっかりと作られているときは、櫛１ａが２本のフォーク１を使用し、鳥の巣がしっかりと作られていないときは、櫛１ａが３本のフォーク１を使用する。いずれにしても、作業者がグリップ２を持って、櫛１ａの先端が鳥の巣の向こう側の部分に食い込み、あるいは、向こう側から突出するようにフォーク１を鳥の巣の下側に挿し込む。
【００３２】
そして、グリップ２を手前に引き寄せる。このとき、櫛１ａの先端側が若干上側に反り返り、鳥の巣の向こう側の部分に食い込み、あるいは鳥の巣の向こう側の端縁を引っ掛ける状態となるため、櫛１ａだけが抜かれることがなく、鳥の巣は、櫛１ａ上に支承された状態、すなわち、掬われて、電柱上から撤去され、収集手段内に入れられる。
【００３３】
このとき、櫛１ａの間から鳥の巣を作っている枝葉が落下したとしても、この枝葉は、収集手段内に集められ、地上に落下することがない。さらに、鳥の巣を撤去した後の、腕金などは、掃除用具によって清掃される。
【００３４】
次に、本発明に係る鳥の巣の撤去装置の第２の実施形態について図２および図３を参照しながら説明する。この鳥の巣の撤去装置は、フォーク１０が鳥の巣を上下から挟むようにしたものである。
【００３５】
このフォーク１０は、鳥の巣の下側に挿し込まれる３本の櫛１１ａや、鳥の巣を上側から被さるように先端側が下向に曲げられた２本の櫛１２ａなどを備えている。下側の櫛１１ａは、Ψ字形の下側基部１１ｂに取り付けられている。そして、この下側基部１１ｂは、Ｕ字溝形のホルダー２０に固定されている。一方、上側の櫛１２ａは、Ｕ字形の上側基部１２ｂに取り付けられている。そして、この基部１２ｂは、く字形のレバー２１に固定されている。
【００３６】
なお、第１の実施形態と同様、下側の櫛１１ａは４本以上、上側の櫛１２ａは３本以上としてもよく、少なくとも中間の櫛１１ａ，１２ａは、着脱自在とされている。さらに、櫛１１ａ，１２ａがステンレスのような金属材料で形成されているときは、絶縁性のカバー（図示せず）が被覆され、先端部が尖鋭であるときは、絶縁性のキャップ（図示せず）が装着される。
【００３７】
そして、ホルダー２０の中間底部には、貫通穴２０ａが形成されており、レバー２１がこの貫通穴２０ａを貫通して、下側に突出している。また、レバー２１は、中間が軸２１ａによってホルダー２０に揺動自在に取り付けられている。
【００３８】
そして、定常状態において上側の櫛１２ａが下側の櫛１１ａから離隔し、レバー２１の下部を引いたときのみ上側の櫛１２ａが下側の櫛１１ａに近接するようにする付勢手段２２がホルダー２０に取り付けられている。この付勢手段２２は、例えばトーションバネが使用され、一端部がレバー２１の上部に当接し、他端部がホルダー２０に固定された下側基部１１ｂまたはホルダー２０の底部に当接し、上側の櫛１２ａが下側の櫛１１ａから離隔するように付勢されている。そして、レバー２１の下端部には、レバー２１を引くための紐や棒のような遠隔操作手段（以下、「紐」という。）２３の先端部が取り付けられている。
【００３９】
また、ホルダー２０の基端部には、連結部材３０を介して、長柄３５の先端部を取り付けるカップリング部材３４が取り付けられている。連結部材３０は、ホルダー２０に固定された先端側部３１とカップリング部材３４に固定された基端側部３２とが組み合わされ、２本のボルト（図２において１本のみ図示）３３によって連結されている。先端側部３１には、ボルト挿通孔（図示せず）が２か所に形成され、基端側部３２には、前記先端側のボルト挿通孔と連通するボルト挿通孔３２ａが１か所に形成され、前記基端側のボルト挿通孔と連通するボルト孔３２ｂが３か所に形成されている。
【００４０】
そして、先端側部３１のボルト挿通孔と基端側部３２のボルト挿通孔３２ａにボルト３３が挿通され、ナット（図示せず）によって固定される。また、先端側部３１のボルト挿通孔から基端側部３２のボルト孔３２ｂに蝶ボルト（図示せず）が挿通される。３つのボルト孔３２ｂから１つのボルト孔３２ｂを選択することにより、フォーク１０の向きを変えることができる。
【００４１】
このような鳥の巣の撤去装置も、前記第１の実施形態で説明したように、必要に応じて切断手段、収集手段、掃除用具と組み合わせて使用される。この切断手段、収集手段、掃除用具は、本鳥の巣の撤去装置に備えられた長柄３５と同じような長さの長柄が備えられている。
【００４２】
そして、作業者が高所作業車のバケットに乗り、鳥の巣に近づく。ただし、長柄３５の長さ分だけ、鳥の巣から離れて、バケットが位置する。そして、撤去する鳥の巣の方向に合わせて、フォーク１０の向きを調整し、長柄３５の手前側を持って、フォーク１０を鳥の巣の方へ差し出す。このとき、下側の櫛１１ａと上側の櫛１２ａは、図３の実線に示すように離隔しているため、下側の櫛１１ａは、鳥の巣の下側に挿し込むことができる。
【００４３】
下側の櫛１１ａが鳥の巣の下側に挿し込まれると、作業者が紐２３を引く。すると、図３の仮想線に示すようにレバー２１が引かれ、上側の櫛１２ａが下側の櫛１１ａに近接し、鳥の巣を挟む。そして、作業者が長柄３５の中間部を持つことにより、上下の櫛の間に挟まれた鳥の巣を少しだけ引き寄せることにより、電柱上から撤去する。鳥の巣を撤去する一連の作業中に、アークが発生しても、作業者は長柄３５の長さ分だけアークが発生した場所から離れているため、安全に作業することができる。
【００４４】
続いて、作業者は、収集手段上で上側の櫛１２ａと下側の櫛１１ａが鉛直方向に並ぶようにフォーク１０を回転させ、紐２３を緩める。すると、上側の櫛１２ａが下側の櫛１１ａ（この時点では、両櫛１２ａ，１１ａは、上下ではなく、横に並んでいる。）から離隔し、挟まれていた鳥の巣が収集手段内に落下し、鳥の巣の撤去が終了する。
【００４５】
なお、本発明は、前記の実施形態に限定することなく、特許請求の範囲に記載した発明特定事項の範囲内において種々変更することができる。例えば、第１の実施形態で説明したように櫛１ａが同一方向に配列されたフォーク１にも、第２の実施形態で説明したような長柄３５を取り付けてもよい。また、第２の実施形態で説明したフォーク１０に第１の実施形態で説明したグリップ２を取り付けてもよい。
【図面の簡単な説明】
【００４６】
【図１】本発明に係る鳥の巣の撤去装置の第１の実施形態を示す斜視図
【図２】本発明に係る鳥の巣の撤去装置の第２の実施形態を示す斜視図
【図３】本発明に係る鳥の巣の撤去装置の第２の実施形態を示す正面図
【符号の説明】
【００４７】
１……フォーク
１ａ…櫛
１ｄ…カバー
１０……フォーク
１１ａ…櫛
１２ａ…櫛
２１……レバー
２３……遠隔操作手段（紐）
３５……長柄
【図１】
2006246705.tif 000003
【図２】
2006246705.tif 000004
【図３】
2006246705.tif 000005